(57)【要約】【目的】  工事現場での工事状況の撮影作業を効率化することができ、且つ黒板付き工事状況画像を含む工事管理台帳を作成する作業を効率化することができる、電子黒板付き工事写真撮像及び工事管理台帳自動作成システム、並びに、これに使用される携帯型通信端末用アプリケーションプログラムを提供する。【構成】  工事現場の作業者が携帯型通信端末により電子黒板付き工事状況画像を取得し、この電子黒板付き工事状況画像と前記電子黒板に記載される文字データとを各工事の識別データと対応付けてＷｅｂサーバーに送信し、前記Ｗｅｂサーバーはこれらのデータをデータベースに記録し、オフィス内の工事管理台帳作成端末では、前記Ｗｅｂサーバーから、対応する電子黒板付き工事状況画像と前記電子黒板に記載される文字データとを受信し、電子黒板付き工事状況画像を含む工事管理台帳を自動作成するようにしたものである。【選択図】    図１
2008225862.tif 000002
【特許請求の範囲】
【請求項１】
携帯型通信端末により電子黒板付き工事状況画像を取得し、この電子黒板付き工事状況画像と前記電子黒板に記載される文字データとを各工事の識別データと対応付けてＷｅｂサーバーに送信し、前記Ｗｅｂサーバーでは、前記携帯型通信端末から送信された電子黒板付き工事状況画像と前記電子黒板に表示される文字データとを各工事の識別データと対応付けてデータベースに記録し、工事管理台帳作成端末では、各工事の識別データに基づいて、前記Ｗｅｂサーバーのデータベースから、対応する電子黒板付き工事状況画像と前記電子黒板に記載される文字データとを取り出し、電子黒板付き工事状況画像を含む工事管理台帳を自動作成するようにした、電子黒板付き工事写真撮像及び工事管理台帳自動作成システムに使用される携帯型通信端末用アプリケーションプログラムであって、
工事状況の画像の中に配置される仮想の電子黒板の中に表示される黒板文字データを、各工事の識別データと対応付けて入力する黒板文字データ入力機能と、
前記黒板文字データ入力機能により入力された黒板文字データを各工事の識別データと対応付けて記録する黒板文字データ記録機能と、
前記黒板文字入力機能により入力された文字と電子黒板とを合成して一つの黒板画像ファイルを生成し記録する黒板画像生成記録機能と、
建築又は土木工事の工事状況を撮像するように、前記携帯型通信端末に備えられたカメラを制御する撮像機能と、
前記撮像対象である工事状況を、前記撮像範囲内の所定位置に前記電子黒板が配置された状態で撮像するように、前記カメラを制御する撮像制御機能と、
前記カメラにより取得された前記電子黒板付き工事状況画像と、前記文字データ記録手段により記録された黒板文字データとを、各工事の識別データと対応付けて前記Ｗｅｂサーバーに送信する画像文字送信機能と、
を実現するための、電子黒板付き工事状況画像を含む工事管理台帳作成のために使用される携帯型通信端末用アプリケーションプログラム。
【請求項２】
携帯型通信端末により電子黒板付き工事状況画像を取得し、この電子黒板付き工事状況画像と前記電子黒板に記載される文字データとを各工事の識別データと対応付けてＷｅｂサーバーに送信し、前記Ｗｅｂサーバーでは、前記携帯型通信端末から送信された電子黒板付き工事状況画像と前記電子黒板に記載される文字データとを各工事の識別データと対応付けてデータベースに記録し、工事管理台帳作成端末では、各工事の識別データに基づいて、前記Ｗｅｂサーバーから、前記データベースに記録された前記識別データに対応する電子黒板付き工事状況画像と前記電子黒板に記載される文字データとを抽出し、電子黒板付き工事状況画像を含む工事管理台帳を自動作成するようにした、電子黒板付き工事写真撮像及び工事管理台帳自動作成システムであって、
前記携帯型通信端末には、
工事状況の画像の中に配置される仮想の電子黒板の中に表示される黒板文字データを、各工事の識別データと対応付けて入力するための黒板文字データ入力手段と、
前記黒板文字データ入力手段により入力された黒板文字データを各工事の識別データと対応付けて記録するための黒板文字データ記録手段と、
前記黒板文字入力手段により入力された文字と電子黒板とを合成して一つの黒板画像ファイルを生成し記録するための黒板画像生成手段と、
建築又は土木工事の工事状況を撮像するための撮像手段と、
前記撮像対象である工事状況を、前記撮像範囲内の所定位置に前記電子黒板が配置された状態で撮像するように、前記撮像手段を制御するための撮像制御手段と、
前記撮像手段により取得された前記電子黒板付き工事状況画像と、前記文字データ記録手段により記録された黒板文字データとを、各工事の識別データと対応付けて前記Ｗｅｂサーバーに送信するための画像文字送信手段と、
が備えられている、ことを特徴とする電子黒板付き工事写真撮像及び工事管理台帳自動作成システム。
【請求項３】
工事状況の画像を撮像するために使用される携帯型通信端末と、前記携帯型通信端末とネットワークを介して接続されるＷｅｂサーバーと、前記Ｗｅｂサーバーに接続されたデータベースと、前記データベースに記録されたデータを前記Ｗｅｂサーバーを介して取得して工事状況画像付きの工事管理台帳を作成するための工事管理台帳作成端末と、を備えた工事状況画像付き工事管理台帳作成システムであって、
前記携帯型通信端末は、
工事状況の画像の中に配置される仮想の電子黒板の中に表示される黒板文字データを、各工事の識別データと対応付けて入力するための黒板文字データ入力手段と、
前記黒板文字データ入力手段により入力された黒板文字データを各工事の識別データと対応付けて記録するための黒板文字データ記録手段と、
前記黒板文字入力手段により入力された文字と電子黒板とを合成して一つの黒板画像ファイルを生成して記録するための黒板画像生成手段と、
建築又は土木工事の工事状況を撮像するための撮像手段と、
前記撮像手段により撮像すべき工事状況の撮像範囲内で前記黒板画像を配置する位置を選択・指定するための黒板位置選択手段と、
前記撮像対象である工事状況を、前記撮像範囲内の所定位置に前記電子黒板が配置された状態で撮像するように、前記撮像手段を制御するための撮像制御手段と、
前記撮像手段により取得された前記電子黒板付き工事状況画像を各工事の識別データと対応付けて記録するための電子黒板付き工事状況画像記録手段と、
前記工事状況画像記録手段により記録された電子黒板付き工事状況画像と、前記黒板文字データ記録手段により記録された黒板文字データとを、各工事の識別データと対応付けて外部に送信するための画像文字送信手段と、を備えており、
前記Ｗｅｂサーバーは、
前記携帯型通信端末から送信された電子黒板付き工事状況画像と黒板文字データとを受信するための画像文字受信手段と、
前記画像文字受信手段により受信した電子黒板付き工事状況画像と黒板文字データとを、それぞれ各工事の識別データと対応付けて前記データベースに書き込むための工事状況及び黒板文字書込み手段と、
外部からの各工事の識別データに対応する電子黒板付き工事状況画像及び黒板文字データの送信要求に基づいて、前記各工事の識別データに対応する電子黒板付き工事状況画像及び黒板文字データを、前記データベースから抽出するための抽出手段と、
前記抽出手段により抽出された前記各工事の識別データに対応する電子黒板付き工事状況画像及び黒板文字データを外部に送信するための工事状況及び黒板文字送信手段と、を備えており、
前記工事管理台帳作成端末は、
前記Ｗｅｂサーバーから送信されてきた前記各工事の識別データに対応する電子黒板付き工事状況画像及び黒板文字データを受信するための台帳用データ受信手段と、
前記台帳用データ受信手段により受信した電子黒板付き工事状況画像及び黒板文字データを前記各工事の識別データに対応付けて記録するための台帳用データ記録手段と、
前記各工事の識別データと前記台帳用データ記録手段に記録されたデータとに基づいて、各工事別に、少なくとも各工事の識別名称、場所、工事日が所定位置に配置され、前記電子黒板付き工事状況画像と前記黒板文字データとが左右又は上下に並べられた状態で所定位置に配置されて成る工事管理台帳を自動作成するための台帳自動作成手段と、を備えたことを特徴とする電子黒板付き工事写真撮像及び工事管理台帳自動作成システム。
【請求項４】
請求項２又は３において、前記携帯型通信端末は、前記撮像範囲内の所定位置に配置される黒板画像のサイズを選択・指定するための黒板サイズ選択手段、を備えている、ことを特徴とする電子黒板付き工事写真撮像及び工事管理台帳自動作成システム。
【請求項５】
請求項２，３又は４において、前記携帯型通信端末は、前記黒板文字データ入力手段により入力された黒板文字データと、前記撮像手段により取得された前記電子黒板付き工事状況画像とを、各工事の識別データと対応付けて記録するためのデータ蓄積手段、を備えている、ことを特徴とする電子黒板付き工事写真撮像及び工事管理台帳自動作成システム。
【請求項６】
請求項２から５までのいずかにおいて、
前記携帯型通信端末は、現在位置データを取得するための現在位置取得手段を備えており、
前記携帯型通信端末の前記電子黒板付き工事状況画像記録手段は、前記撮像手段により取得された電子黒板付き工事状況画像を、前記現在位置取得手段により取得された現在位置データと対応付けて記録するものであり、
前記携帯型通信端末の前記画像文字送信手段は、前記撮像手段により取得された電子黒板付き工事状況画像を、前記現在位置取得手段により取得された現在位置データと対応付けて外部に送信するものである、ことを特徴とする電子黒板付き工事写真撮像及び工事管理台帳自動作成システム。
【請求項７】
請求項２から６までのいずれかにおいて、
前記携帯型通信端末は、
前記撮像範囲選択手段により選択された撮像範囲内の画像を事前に取り込むための事前画像取り込み手段と、
前記事前画像取り込み手段により取り込まれた画像に基づいて、前記撮像範囲内の工事対象ではない背後の景色である背景部分を認識するための背景認識手段と、
前記撮像範囲選択手段により選択された撮像範囲内で前記黒板画像を配置する電子黒板位置を、前記背景認識手段からのデータに基づいて自動的に決定するための黒板位置自動決定手段と、を備えていることを特徴とする電子黒板付き工事写真撮像及び工事管理台帳自動作成システム。
【請求項８】
請求項２から６までのいずれかにおいて、
前記携帯型通信端末は、
前記撮像範囲選択手段により選択された撮像範囲内の画像を事前に取り込むための事前画像取り込み手段と、
前記事前画像取り込み手段により取り込まれた画像に基づいて、前記撮像範囲内の工事対象ではない背後の景色である背景部分を認識するための背景認識手段と、
前記背景認識手段からのデータに基づいて、前記撮像範囲選択手段により選択された範囲内での前記背景部分のサイズを認識するための背景サイズ認識手段と、
前記黒板位置自動決定手段により自動的に決定された位置に配置される黒板画像のサイズを、前記背景サイズ認識手段からのデータに基づいて自動的に決定するための電子黒板サイズ自動決定手段と、を備えていることを特徴とする電子黒板付き工事写真撮像及び工事管理台帳自動作成システム。
【発明の詳細な説明】
【技術分野】
【０００１】
本発明は、建築又は土木工事の工事報告書などを作成するために使用される、電子黒板付き工事写真（画像）を撮像しこれを含む工事管理台帳を自動的に作成するためのシステム、並びに、このシステムに使用される携帯型通信端末用アプリケーションプログラムに関する。
【背景技術】
【０００２】
従来より、建築又は土木工事などの工事の途中の各段階で現場の工事状況の写真を撮影し、その写真画像データを施主、日時、場所などのデータと関連付けて記録しておき、工事報告書を作成するときは、前記施主、日時、場所などのデータを入力すると共に、前記写真画像データを読み出すと共に、その各写真の説明文を入力することにより、工事写真付きの工事管理台帳を作成し、これらを纏めて工事報告書を作成・印刷するようにしている（例えば、特許文献１参照）。
【特許文献１】特開２００１−３５０８２２号公報
【発明の開示】
【発明が解決しようとする課題】
【０００３】
前述のように、工事報告書などに使用される工事管理台帳を作成するためには、工事の途中の各段階で工事状況の写真を撮影する必要があるが、その際、従来は、作業者が現場で実際の黒板（又はホワイトボード）にその工事の内容（施主又は工事名称、場所、工法、施工者名など）を手書きし、その黒板を作業者が手に持ったまま工事現場に立ち、他の作業者が、その黒板と工事状況を一緒にカメラで撮影するようにしていた。
【０００４】
しかしながら、前述のような従来の方法では、（ａ）工事現場で実際の黒板に工事内容をいちいち記入しなくてはならず効率が悪い、（ｂ）黒板を持つ者と撮影する者との少なくとも２人以上の作業者が必要になる、（ｃ）高所や崖地などでの撮影では黒板を持つ者が高所や崖地に立たねばならず危険である、（ｄ）悪天候時には撮影が難しい、（ｅ）現場で黒板に記入するとき文字が乱雑・不鮮明になって撮り直しが必要になる場合がある、（ｆ）工事管理台帳を作成するときには黒板に記入した内容と同じ内容のコメントを手入力する必要があり二度手間になっている、などの問題があった。
【０００５】
本発明はこのような従来技術の問題点に着目してなされたものであって、工事現場での工事状況の撮影作業を効率化することができ、且つ黒板付き工事状況画像を含む工事管理台帳を作成する作業を効率化することができる、電子黒板付き工事写真撮像及び工事管理台帳自動作成システム、並びに、これに使用される携帯型通信端末用アプリケーションプログラムを提供することを目的とする。
【課題を解決するための手段】
【０００６】
以上の課題を解決するための本発明による電子黒板付き工事状況画像を含む工事管理台帳作成のために使用される携帯型通信端末用アプリケーションプログラムは、携帯型通信端末により電子黒板付き工事状況画像を取得し、この電子黒板付き工事状況画像と前記電子黒板に記載される文字データとを各工事の識別データと対応付けてＷｅｂサーバーに送信し、前記Ｗｅｂサーバーでは、前記携帯型通信端末から送信された電子黒板付き工事状況画像と前記電子黒板に記載される文字データとを各工事の識別データと対応付けてデータベースに記録し、工事管理台帳作成端末では、各工事の識別データに基づいて、前記Ｗｅｂサーバーのデータベースから、対応する電子黒板付き工事状況画像と前記電子黒板に記載される文字データとを取り出し、電子黒板付き工事状況画像を含む工事管理台帳を自動作成するようにした携帯型通信端末用アプリケーションプログラムであって、工事状況の画像の中に配置される仮想の電子黒板の黒板文字データを、各工事の識別データと対応付けて入力する黒板文字データ入力機能と、前記黒板文字データ入力機能により入力された黒板文字データを各工事の識別データと対応付けて記録する黒板文字データ記録機能と、前記黒板文字入力機能により入力された文字と電子黒板とを合成して一つの黒板画像ファイルを生成し記録する黒板画像生成記録機能と、建築又は土木工事の工事状況を撮像するように、前記携帯型通信端末に備えられたカメラを制御する撮像機能と、前記撮像対象である工事状況を、前記撮像範囲内の所定位置に前記電子黒板が配置された状態で撮像するように、前記カメラを制御する撮像制御機能と、前記カメラにより取得された前記電子黒板付き工事状況画像と、前記文字データ記録手段により記録された黒板文字データとを、各工事の識別データと対応付けて前記Ｗｅｂサーバーに送信する画像文字送信機能と、を実現するためのプログラムである。
【０００７】
また、本発明による電子黒板付き工事写真撮像及び工事管理台帳自動作成システムは、携帯型通信端末により電子黒板付き工事状況画像を取得し、この電子黒板付き工事状況画像と前記電子黒板に記載される文字データとを各工事の識別データと対応付けてＷｅｂサーバーに送信し、前記Ｗｅｂサーバーでは、前記携帯型通信端末から送信された電子黒板付き工事状況画像と前記電子黒板に記載される文字データとを各工事の識別データと対応付けてデータベースに記録し、工事管理台帳作成端末では、各工事の識別データに基づいて、前記Ｗｅｂサーバーから、前記データベースに記録された前記識別データに対応する電子黒板付き工事状況画像と前記電子黒板に記載される文字データとを抽出し、電子黒板付き工事状況画像を含む工事管理台帳を自動作成するようにした、電子黒板付き工事写真撮像及び工事管理台帳自動作成システムであって、前記携帯型通信端末には、工事状況の画像の中に配置される仮想の電子黒板の黒板文字データを、各工事の識別データと対応付けて入力するための黒板文字データ入力手段と、前記黒板文字データ入力手段により入力された黒板文字データを各工事の識別データと対応付けて記録するための黒板文字データ記録手段と、前記黒板文字入力手段により入力された文字と電子黒板とを合成して一つの黒板画像ファイルを生成し記録するための黒板画像生成手段と、建築又は土木工事の工事状況を撮像するための撮像手段と、前記撮像対象である工事状況を、前記撮像範囲内の所定位置に前記電子黒板が配置された状態で撮像するように、前記撮像手段を制御するための撮像制御手段と、前記撮像手段により取得された前記電子黒板付き工事状況画像と、前記文字データ記録手段により記録された黒板文字データとを、各工事の識別データと対応付けて前記Ｗｅｂサーバーに送信するための画像文字送信手段と、が備えられている、ことを特徴とするものである。
【０００８】
また、本発明による電子黒板付き工事写真撮像及び工事管理台帳自動作成システムは、工事状況の画像を撮像するために使用される携帯型通信端末と、前記携帯型通信端末とネットワークを介して接続されるＷｅｂサーバーと、前記Ｗｅｂサーバーに接続されたデータベースと、前記データベースに記録されたデータを前記Ｗｅｂサーバーを介して取得して工事状況画像付きの工事管理台帳を作成するための工事管理台帳作成端末と、を備えた工事状況画像付き工事管理台帳作成システムであって、前記携帯型通信端末は、工事状況の画像の中に表示される仮想の電子黒板の黒板文字データを、各工事の識別データと対応付けて入力するための黒板文字データ入力手段と、前記黒板文字データ入力手段により入力された黒板文字データを各工事の識別データと対応付けて記録するための黒板文字データ記録手段と、前記黒板文字入力手段により入力された文字と電子黒板とを合成して一つの黒板画像ファイルを生成して記録するための黒板画像生成手段と、建築又は土木工事の工事状況を撮像するための撮像手段と、前記撮像手段により撮像すべき工事状況の撮像範囲内で前記黒板画像を配置する位置を選択・指定するための黒板位置選択手段と、前記撮像対象である工事状況を、前記撮像範囲内の所定位置に前記電子黒板が配置された状態で撮像するように、前記撮像手段を制御するための撮像制御手段と、前記撮像手段により取得された前記電子黒板付き工事状況画像を各工事の識別データと対応付けて記録するための電子黒板付き工事状況画像記録手段と、前記工事状況画像記録手段により記録された電子黒板付き工事状況画像と、前記黒板文字データ記録手段により記録された黒板文字データとを、各工事の識別データと対応付けて外部に送信するための画像文字送信手段と、を備えており、前記Ｗｅｂサーバーは、前記携帯型通信端末から送信された電子黒板付き工事状況画像と黒板文字データとを受信するための画像文字受信手段と、前記画像文字受信手段により受信した電子黒板付き工事状況画像と黒板文字データとを、それぞれ各工事の識別データと対応付けて前記データベースに書き込むための工事状況及び黒板文字書込み手段と、外部からの各工事の識別データに対応する電子黒板付き工事状況画像及び黒板文字データの送信要求に基づいて、前記各工事の識別データに対応する電子黒板付き工事状況画像及び黒板文字データを、前記データベースから抽出するための抽出手段と、前記抽出手段により抽出された前記各工事の識別データに対応する電子黒板付き工事状況画像及び黒板文字データを外部に送信するための工事状況及び黒板文字送信手段と、を備えており、前記工事管理台帳作成端末は、前記Ｗｅｂサーバーから送信されてきた前記各工事の識別データに対応する電子黒板付き工事状況画像及び黒板文字データを受信するための台帳用データ受信手段と、前記台帳用データ受信手段により受信した電子黒板付き工事状況画像及び黒板文字データを前記各工事の識別データに対応付けて記録するための台帳用データ記録手段と、前記各工事の識別データと前記台帳用データ記録手段に記録されたデータとに基づいて、各工事別に、少なくとも各工事の識別名称、場所、工事日が所定位置に配置され、前記電子黒板付き工事状況画像と前記黒板文字データとが左右又は上下に並べられた状態で所定位置に配置されて成る工事管理台帳を自動作成するための台帳自動作成手段と、を備えたことを特徴とするものである。
【０００９】
また、本発明においては、前記携帯型通信端末は、前記撮像範囲内の所定位置に配置される黒板画像のサイズを選択・指定するための黒板サイズ選択手段、を備えている、ことが望ましい。
【００１０】
また、本発明においては、前記携帯型通信端末は、前記黒板文字データ入力手段により入力された黒板文字データと、前記撮像手段により取得された前記電子黒板付き工事状況画像とを、各工事の識別データと対応付けて記録するためのデータ蓄積手段、を備えている、ことが望ましい。
【００１１】
また、本発明においては、前記携帯型通信端末は、現在位置データを取得するための現在位置取得手段を備えており、前記携帯型通信端末の前記電子黒板付き工事状況画像記録手段は、前記撮像手段により取得された電子黒板付き工事状況画像を、前記現在位置取得手段により取得された現在位置データと対応付けて記録するものであり、前記携帯型通信端末の前記画像文字送信手段は、前記撮像手段により取得された電子黒板付き工事状況画像を、前記現在位置取得手段により取得された現在位置データと対応付けて外部に送信するものである、ことが望ましい。
【００１２】
また、本発明においては、前記携帯型通信端末は、前記撮像範囲選択手段により選択された撮像範囲内の画像を事前に取り込むための事前画像取り込み手段と、前記事前画像取り込み手段により取り込まれた画像に基づいて、前記撮像範囲内の工事対象ではない背後の景色である背景部分を認識するための背景認識手段と、前記撮像範囲選択手段により選択された撮像範囲内で前記黒板画像を配置する電子黒板位置を、前記背景認識手段からのデータに基づいて自動的に決定するための黒板位置自動決定手段と、を備えていることが望ましい。
【００１３】
さらに、本発明においては、前記携帯型通信端末は、前記撮像範囲選択手段により選択された撮像範囲内の画像を事前に取り込むための事前画像取り込み手段と、前記事前画像取り込み手段により取り込まれた画像に基づいて、前記撮像範囲内の工事対象ではない背後の景色である背景部分を認識するための背景認識手段と、前記背景認識手段からのデータに基づいて、前記撮像範囲選択手段により選択された範囲内での前記背景部分のサイズを認識するための背景サイズ認識手段と、前記黒板位置自動決定手段により自動的に決定された位置に配置される黒板画像のサイズを、前記背景サイズ認識手段からのデータに基づいて自動的に決定するための電子黒板サイズ自動決定手段と、を備えていることが望ましい。
【発明の効果】
【００１４】
本発明による電子黒板付き工事写真撮像及び工事管理台帳自動作成システム又はこれに使用される携帯型通信端末用アプリケーションプログラムを使用するときは、作業者は、一人だけでも、工事現場で電子黒板の文字データを入力して電子黒板画像を生成・記録し、この電子黒板画像を被写対象である工事状況（工事現場）の中の所定位置に一緒に写し込んだ状態で工事状況を撮像し、電子黒板付き工事写真（画像）を取得・記録することができる。そして、この作業者は、前記電子黒板付き工事写真と前記電子黒板の文字データとを所定のＷｅｂサーバーに送信することにより、前記電子黒板付き工事写真と前記電子黒板の文字データをデータベース化して、工事報告書などの電子黒板付き工事写真を含む工事管理台帳を自動作成することができる。
【００１５】
よって、本発明によれば、（ａ）工事現場で実際の黒板に工事内容をいちいち記入する必要が無くなり効率化できる、（ｂ）黒板を持つ者が不要になるので一人の作業者だけで工事状況の撮影が可能になる、（ｃ）電子黒板を使用するので高所や崖地などでの撮影でも黒板を持つ必要が無くなり安全である、（ｄ）悪天候時でも撮影が容易である、（ｅ）現場で黒板に記入するとき文字が乱雑・不鮮明になって撮り直しが必要になるなどの不都合が無くなる、（ｆ）電子黒板の文字データも電子黒板付き工事写真と一緒にデータベース化しておくので、工事管理台帳を作成するときには黒板に記入した内容を改めて入力する必要が無くなって入力の二度手間が無くなり、工事報告書などに使用する工事管理台帳の作成を自動化・効率化できる、などの効果が得られるようになる。また、本発明においては、前述のように、一つの電子黒板画像ファイルを工事対象を含む撮像範囲の中の所定位置に一緒に写し込んだ状態で工事状況写真を撮像・取得するようにしている（撮像した工事状況写真に後から電子黒板画像を貼り付けるという形態ではない）ので、前記取得された電子黒板付き工事写真（画像）は、電子黒板と一体に生成されたものとして、工事写真としての高い信用性を獲得することができる。
【００１６】
また、本発明において、作業者が現場で電子黒板付き工事写真を撮影するとき、前記黒板位置選択手段により、撮影範囲内における電子黒板の位置を作業者が任意に選択・指定できるようにしたときは、撮像対象となる実際の工事状況とその背景部分の位置関係に応じて作業者が電子黒板の位置を任意に変更できるので、最適な位置に電子黒板が写し込まれた工事状況写真を取得することができるようになる。
【００１７】
また、本発明において、作業者が現場で電子黒板付き工事写真を撮影するとき、前記黒板サイズ選択手段により、撮影範囲内における電子黒板のサイズを作業者が任意に選択・指定できるようにしたときは、撮像対象となる実際の工事状況とその背景部分のサイズに応じて作業者が電子黒板のサイズを任意に変更できるので、最適なサイズの電子黒板が写し込まれた工事状況写真を取得することができるようになる。
【００１８】
また、本発明において、前記Ｗｅｂサーバーだけでなく、前記携帯型通信端末にも黒板文字データと前記撮像手段により取得された前記電子黒板付き工事状況画像とを各工事の識別データと関連付けて記録するデータ蓄積手段を備えるようにしたときは、工事現場が携帯電話などの電波が届かない地域である場合でも、前記携帯型通信端末で取得した黒板文字データと電子黒板付き工事状況画像を後で工事管理台帳の作成などに使用することができる。
【００１９】
また、本発明において、現在位置取得手段を備え、前記取得した電子黒板付き工事状況画像を現在位置データと対応付けて記録し前記Ｗｅｂサーバーに送信するようにしたときは、例えば、（ａ）前記電子黒板付き工事状況画像の属性情報として撮影時の位置座標データを含めることにより電子黒板付き工事状況画像の信用性を増大させることができる、（ｂ）前記電子黒板付き工事状況画像の属性情報としての撮影時の位置座標データから撮影場所の位置を示す地図情報などを工事管理台帳などに自動入力・自動表示させることができる、などのように、電子黒板付き工事状況画像の利用シーンを色々と広げることができる。
【００２０】
また、本発明において、前記事前画像取り込み手段により撮像範囲内の工事対象とその背景の画像を事前に取り込み、前記背景認識手段により前記取り込んだ画像から前記撮像範囲内の工事対象（被写対象）ではない背景部分を認識し、前記黒板位置自動決定手段により前記撮像範囲内の前記背景部分を示すデータに基づいて前記撮像範囲内での前記黒板画像を配置する電子黒板位置を自動的に決定するようにしたときは、作業者が工事現場でいちいち撮像範囲の映像を携帯型通信端末の液晶画面などで見ながら電子黒板の位置を選択・指定する必要が無くなるので、工事現場での作業効率を向上させることができる。
【００２１】
また、本発明において、前記背景サイズ認識手段により撮像範囲内での前記背景部分のサイズを認識し、この認識した背景部分のサイズに基づいて前記電子黒板のサイズを自動的に決定するようにしたときは、作業者が工事現場でいちいち撮像範囲の映像を携帯型通信端末の液晶画面などで見ながら電子黒板のサイズを選択・指定する必要が無くなるので、工事現場での作業効率を向上させることができる。
【発明を実施するための最良の形態】
【００２２】
本発明を実施するための最良の形態は、以下の実施例１について述べるような形態である。
【実施例１】
【００２３】
以下、図１を参照して、本発明の実施例１による携帯電話を使用した電子黒板付き工事写真の取得及びこれを使用した工事報告書自動作成システムを説明する。図１において、１は建築・土木工事を担当する作業者が工事現場の写真を撮影するときに使用する携帯電話、２は前記携帯電話１とネットワーク４（公衆携帯電話網及びインターネットを含むネットワーク）を介してデータを送受信可能なＷｅｂサイト、３は前記Ｗｅｂサイト２とネットワーク４を介してデータを送受信可能な工事施工会社のオフィス内装置である。
【００２４】
次に、図１の前記携帯電話１において、１１はＣＰＵにより構成される制御部、１２は前記制御部１１に作業者がデータや指令を入力するためのキーボードなどから成る入力部、１３は前記入力部から入力された文字データや後述の電子黒板のデフォルト画像などを記録しておくためのフラッシュメモリやｍｉｎｉＳＤカードなどから構成される記録部、１４は前記入力部１２から前記電子黒板の内部に表示されるべき文字データが入力されたとき、前記文字データと前記記録部１３に記録されていた電子黒板のデフォルト画像データとから前記文字が内部に表示されている一つの電子黒板画像ファイルを生成するための黒板画像生成部、１５は工事現場の工事対象を撮像するための撮像部（カメラ）、１６は前記撮像部１５で工事対象を撮像するときに前記黒板画像生成部１４により生成された電子黒板を配置する撮像範囲内の位置を作業者が画面上で選択・指定するための黒板位置選択部、１７は前記撮像部１５で工事対象を撮像するときに撮像範囲内に配置される前記黒板画像のサイズを作業者が画面上で選択・指定するための黒板サイズ選択部、１８は前記撮像部１５で工事対象を撮像するときの現在位置座標データを取得するためのＧＰＳ受信部、１９は前記撮像部１５により取得した前記電子黒板付き工事写真データ、前記電子黒板中に表示される文字のテキストデータ、及び前記撮像時の現在位置座標データなどを外部に送信するための送受信部、である。
【００２５】
なお、前記制御部１１は、前記文字入力部から電子黒板内に表示すべき文字が入力されたとき、この文字データを、前記記録部１３に、当該の工事の識別データ及び当該の工事の年月日データなどと関連付けて記録する。また、前記黒板画像生成部１４は、前記文字入力部から電子黒板内に表示すべき文字が入力されたとき、前記制御部１１からの制御により、前記入力された文字データと前記記録部１３からの電子黒板のデフォルト画像とに基づいて、前記文字を含む一つの電子黒板画像ファイルを生成し、前記記録部１３に、当該の工事の識別データ及び当該の工事の年月日データなどと関連付けて記録する。また、前記制御部１１は、前記ＧＰＳ受信部１８からの前記撮像時における現在位置座標データを受信し、この現在位置座標データを、前記電子黒板画像ファイルのプロパティの所定の項目の中に追加的に書き込む。また、前記制御部１１は、前記撮像部１５による撮像が行われて電子黒板付き工事写真が取得されたとき、その電子黒板付き工事写真データを前記記録部１３に当該の工事の識別データ及び当該の工事の年月日データなどと関連付けて記録すると共に、前記送受信部１９から、前記Ｗｅｂサイト２に向けて当該の工事の識別データ及び当該の工事の年月日データなどと関連付けて送信する。また、前記制御部１１、黒板画像生成部１４、黒板位置選択部１６、及び黒板サイズ選択部１７などの機能は、実際には、前記ＣＰＵと携帯電話アプリ（アプリケーションプログラム）により実現される。
【００２６】
また、図１の前記Ｗｅｂサイト２において、２１は前記携帯電話１からの電子黒板付き工事写真データをネットワーク４を介して受信し、これを工事データベース２２に当該の工事の識別データ及び当該の工事の年月日データなどと関連付けて記録するためのＷｅｂサーバーである。なお、前記Ｗｅｂサーバー２１は、工事施工会社がアクセス可能なＷｅｂサイト２を開設し、工事施工会社からのネットワーク４を介してのデータ要求に対応して、所定のデータを前記工事データベース２２から検索・抽出し、それを工事施工会社にネットワーク４を介して送信する。
【００２７】
また、図１の工事施工会社のオフィス内装置３において、３１は種々のデータ処理を行うためのパソコン（ＣＰＵなどで構成）、３２は前記パソコン３１にデータを入力するためのキーボードなどから成る入力部、３３は外部との間でデータを送受信するための通信部、３４は前記入力部３２からのデータや前記通信部３３で受信したデータなどを記録するためのハードディスク、３５は前記パソコン３１により処理されたデータを表示するためのディスプレイ、３６は前記パソコン３１により処理されたデータを印刷するためのプリンタである。
【００２８】
次に、本実施例１の動作を説明する。まず、作業者が工事現場で前記携帯電話１を使用して工事写真を撮像する場合の動作を説明する。この場合、まず、作業者は、前記携帯電話１の携帯アプリを起動させて、新規工事データ登録画面を表示させ（図２参照）、起工番号（識別データ）、工事名、年月日、所在地、施工者などの必要な事項を入力し登録する。次に、作業者は、当該工事の電子黒板に表示させる文字を入力するための黒板データ入力画面を表示させ（図３参照）、工事名、年月日、施工者、工種、位置、設計寸法、実測寸法などの必要な事項の文字を入力する。なお、前記黒板データ入力画面においては、工事箇所や側点や立会者などの文字入力項目をも有する電子黒板、さらに工事の略図の表示エリアをも有する電子黒板などの複数の電子黒板タイプから一つをプルダウンメニュー方式で選択するための選択入力枠４１（図３参照）も備えている。
【００２９】
作業者が前記黒板データ入力画面への文字入力を行って「次へ」ボタン（図３参照）をクリックすると、携帯アプリは、前記黒板データ入力画面で入力された文字データを、工事名や年月日などの識別データと関連付けてｍｉｎｉＳＤカードなどの記録部１３に記録する。また、これと同時に、携帯アプリは、黒板位置選択画面を表示して（図４参照）、作業者に、電子黒板を工事写真の外周部の中のどのエリアに配置させるかの選択を促す。本実施例１では、工事写真の外周部の８つのエリア４２（図４参照）のいずれかを作業者が選択できるようにしている。
【００３０】
また、本実施例１では、前記の図４の黒板位置選択画面において、作業者が工事写真中の電子黒板のサイズを選択させるための選択入力枠４３（図４参照）も備えている。本実施例１では、作業者が、電子黒板のサイズを、一つの工事写真に対する電子黒板のサイズを２０％とするＳ、同２５％とするＭ、同３０％とするＬの３つの中から、プルダウンメニュー方式で選択できるようにしている。
【００３１】
また、前記の図３の黒板データ入力画面において、電子黒板の中に略図をも表示するタイプの電子黒板を選択した場合、図５に示すような略図選択画面が表示され、作業者に今回の電子黒板の中に表示すべき略図の選択を促す。なお、前記略図は、携帯電話１の記録部１３を構成するｍｉｎｉＳＤカードなどに予め記録されている（なお、前記略図は、作業者の操作により、Ｗｅｂサーバー２１からネットワーク経由でダウンロードしてｍｉｎｉＳＤカードに記録させることもできる）。
【００３２】
以上により、電子黒板の入力事項（文字、略図）と電子黒板の位置及びサイズの入力が終了すると、携帯アプリは、図６に示すような撮影画面（撮像範囲の画像）を表示し、作業者に工事写真の撮像を促す。この撮像画面では、前記黒板データ入力画面（図３参照）で入力した文字や略図が表示されている電子黒板が、作業者により選択・指定された位置に、作業者により選択・指定されたサイズで、表示されている。作業者は、この撮像画面で図６の下方の「撮像」ボタンをクリックすることにより、前記電子黒板が写し込まれた状態の工事写真を撮像・取得する。すると、携帯アプリは、図７Ａに示す保存確認画面を表示し、ｍｉｎｉＳＤカードなどへの保存を促す。この画面で、作業者が「保存」ボタンをクリックすると、ｍｉｎｉＳＤカードなどに保存される。なお、図７Ｂは、前記の図３の黒板データ入力画面において、電子黒板の中に略図を挿入するようにしたときの、略図を含む電子黒板付きの工事写真を撮像するときの撮影画面の一例を示すものである。
【００３３】
次に、携帯アプリは、図８に示すような工事データ一覧・選択画面を表示して、前記Ｗｅｂサーバー２１へアップロードすべき電子黒板付き工事写真データとして、今回撮像した電子黒板付き工事写真を（前記記録部１３の記録内容から）選択することを促す。作業者がこの選択を行って、図示下方の「黒板データアップロード」ボタンをクリックすると、携帯アプリは、今回の電子黒板付き工事写真のデータ（電子黒板の画像データ、及び、電子黒板の文字部分のテキストデータなど）をＷｅｂサーバー２１に送信する。なお、図９は、図８と同様の機能を果たすアップロード黒板データ選択画面である。作業者は、この図９の画面からも、ｍｉｎｉＳＤカードなどの記録部１３からアップロードすべき電子黒板付き工事写真のデータを選択し、Ｗｅｂサーバー２１にアップロードすることができる。図１０は、前記のアップロードが完了したときに携帯アプリが表示する黒板データアップロード完了画面である。
【００３４】
なお、図１１は本実施例１の前記黒板データ入力画面（図３参照）で選択可能な電子黒板のタイプの一例を示す図、図１２Ａは以上に説明した本実施例１の携帯アプリの画面フローを示す図、図１２Ｂは本実施例１の携帯アプリの記録部１３（ｍｉｎｉＳＤカードなど）のフォルダ構成の一例を示す図である。
【００３５】
次に、本実施例１における工事施工会社のオフィスで使用されるパソコン３１による工事報告書の自動作成のための動作を説明する。図１３は前記パソコン３１からのデータに基づいてディスプレイ３５に表示されるメニュー画面の一例を示す図である。オフィスのユーザーは、このメニュー画面から、「工事情報インポート」を選択し、これから工事報告書を作成しようとするときの該当の工事の情報（電子黒板付き工事写真の画像データ、電子黒板の文字のテキストデータなど）のインポートを行う。
【００３６】
工事情報は、図１４の画面例に示すように、通常は、Ｗｅｂサーバー２１からインポート（ダウンロード）して、ハードディスク３４などに記録する。前記Ｗｅｂサーバー２１は、ユーザー認証を行ったクライアント（前記パソコン３１）からのデータ要求に対応して、該当する工事情報を前記工事データベース２２から検索・抽出し、クライアントに送信する。なお、工事現場が通信事情の悪い場所であったため携帯電話１からＷｅｂサーバー２１へアップロードができなかったなどの例外的な場合は、前記パソコン３１は、携帯電話１のｍｉｎｉＳＤカードから直接に工事情報をインポートする。
【００３７】
図１５はこのようにしてインポートしハードディスク３４に記録された工事情報の一覧を表示する画面である。ユーザーは、図１５の一覧画面から、該当の工事に関する写真一覧を表示させることができる。図１６はこのようにして選択・表示された該当の工事の写真一覧画面である。ユーザーは、図１６の一覧画面から、所望の写真の詳細を選択して表示させることができる。図１７はこのようにして選択・表示された写真の詳細の一例を示す図である。
【００３８】
次に、ユーザーは、前記ディスプレイ３５のメニュー画面（図１３参照）から、工事報告書を構成する工事写真を含む台帳を作成するための台帳印刷設定を選択する。図１８はこの台帳に印刷・表示する内容の設定画面の一例を示す図である。この設定画面では、台帳に印刷・表示すべき項目やデータを選択する。この設定画面での選択が終了すると、台帳の印刷が開始される。図１９は、このようにして印刷された電子黒板付き工事写真を含む台帳の一例を示す図である。本実施例１では、図１９に示すように、各電子黒板付き工事写真の右側に、電子黒板の中に表示されている文字もテキストとして表示される。このテキストは、従来はユーザーがいちいち手入力していたが、本実施例１では、前述のように、電子黒板付き工事写真の画像ファイルだけでなく、電子黒板中の文字を示すテキストデータファイルも、前記Ｗｅｂサーバー２１から（又は例外的にｍｉｎｉＳＤカードから）インポートされハードディスク３４に記録されるので、前記文字部分（テキストデータ）も前記台帳の中に自動出力することができる（よって、従来のように、ユーザーがいちいち、工事写真の中の実物の黒板の中に手書きされている文字と同じ文字を手入力する必要が無くなる）。
【００３９】
以上のように、本実施例１によれば、作業者は、一人だけでも、携帯電話１を使用して、工事現場で電子黒板の文字データを入力して電子黒板画像を生成し、この電子黒板画像が一緒に写し込まれた状態の工事写真を撮像・取得し、これをＷｅｂサーバー２１にアップロード（及び／又はｍｉｎｉＳＤカードに記録）することができる。そして、オフィス側では、前記電子黒板付き工事写真と前記電子黒板の文字データとを、前記Ｗｅｂサーバー２１から受信して、これらの受信したデータに基づいて、電子黒板付き工事写真を含む工事管理台帳、これを含む工事報告書を自動作成することができる。
【００４０】
また、本実施例１においては、作業者が現場で電子黒板付き工事写真を撮影する前に、前記黒板データ入力画面（図３参照）で、撮影範囲内における電子黒板の位置とサイズを任意に選択・指定できるようにしているので、撮像対象となる実際の工事状況とその背景部分（遠景の山や空など）の位置やサイズに応じて作業者が電子黒板の位置やサイズを任意に調整できるので、最適な位置に最適なサイズの電子黒板が写し込まれた工事写真を撮像・取得することができる。
【００４１】
また、本実施例１においては、前記ＧＰＳ受信部１８からの撮影時の現在位置座標データを、前記取得した電子黒板付き工事写真と関連付けて記録する（例えば、前記電子黒板付き工事写真画像ファイルのプロパティの所定項目に追加的に記録する）ようにし、さらにこれを前記Ｗｅｂサーバー２１に送信するようにしているので、工事施工会社のユーザーは、例えば前記電子黒板付き工事写真の属性情報として撮影時の位置座標データを含めることができ、電子黒板付き工事写真の信用性を増大させることができる。またユーザーは、工事報告書の作成時に、前記電子黒板付き工事写真と一緒に撮影時の位置座標データに対応する地図情報などをも台帳の中に自動表示・印刷できるなど、電子黒板付き工事写真の利用シーンを広げることができる。
【実施例２】
【００４２】
次に、本実施例２による携帯電話を使用した電子黒板付き工事写真の取得及びこれを使用した工事報告書自動作成システムを、図２０を参照して説明する。なお、本実施例２は前記実施例１と基本的構成は同一であるので、以下では、異なる部分のみを説明し、それ以外の説明は省略する。
【００４３】
本実施例２では、図２０の携帯電話１の構成（携帯アプリ）の一部が前記実施例１におけると異なっている。すなわち、本実施例２では、前記携帯電話１の構成（携帯アプリ）として、前記実施例１の黒板位置選択部１６と黒板サイズ選択部１７に代えて、黒板位置自動決定部５１と黒板サイズ自動決定部５２を備えるようにしている。また、本実施例２では、前記携帯電話１の構成（携帯アプリ）として、さらに、前記撮像部１５による撮像範囲内の工事対象部分（主被写領域）ではない背景部分（複数個）を認識するための背景認識部５３と、前記背景認識部５３により認識された複数の背景部分のそれぞれのサイズを認識するための背景サイズ認識部５４とを備えるようにしている。
【００４４】
前記背景認識部５３は、例えば、撮像範囲を例えば碁盤の目状の（互いに均等な）各分割領域に分割し、これらの多数の各分割領域について、それぞれ測距を行い、撮像部１５から近い距離を有する各分割領域を含む部分を工事対象を含む主被写領域と認識すると共に、撮像部１５から遠い距離を有する各分割領域を含む部分を背景領域と認識するものである。なお、前記背景認識部５３により認識される背景部分は、一つの撮像範囲内において、複数個、認識されるのが通常である。また、前記各分割領域の測距の技術としては、例えば従来のカメラのオートフォーカス技術などに使用されている公知技術を採用することができる。
【００４５】
また、前記背景サイズ認識部５４は、例えば、前記背景認識部５３により認識された複数の背景領域のサイズを、前記各背景領域に含まれる前記各分割領域の個数を計数することにより、認識する。前記背景サイズ認識部５４により、撮像範囲内の複数の背景部分の中で、最もサイズの大きい背景部分の在るエリアは何処か、及び、その最も大きい背景部分の領域は撮像範囲の中でどのくらいの大きさか（撮像範囲の何％の大きさの領域か）を求めることができる。
【００４６】
前記背景サイズ認識部５４により求められたデータは、前記制御部１１に出力され、前記黒板位置自動決定部５１に送られる。前記黒板位置自動決定部５１は、前記背景サイズ認識部５４により求められたデータに基づいて、工事写真内で電子黒板を配置すべき位置を自動的に（すなわち作業者の操作を必要とすること無く）決定する。すなわち、前記黒板位置自動決定部５１は、例えば、撮像範囲内の複数個の背景部分の中で最もサイズの大きい背景部分の在るエリアを、電子黒板が配置されるべき位置と自動的に決定する。
【００４７】
また、前記背景サイズ認識部５４により求められたデータは、前記制御部１１に出力され、前記黒板サイズ自動決定部５２に送られる。前記黒板サイズ自動決定部５２は、前記背景サイズ認識部５４により求められたデータに基づいて、工事写真内に表示すべき電子黒板のサイズを自動的に（すなわち作業者の操作を必要とすること無く）決定する。すなわち、前記黒板サイズ自動決定部５２は、例えば、撮像範囲内の複数個の背景部分の中で最もサイズの大きい背景部分の在るエリアのサイズと同一かそれより所定量だけ小さいサイズを、工事写真内に表示すべき電子黒板のサイズ（例えば工事写真の２０％、２５％、３０％など）と自動的に決定する。
【００４８】
以上のように、本実施例２においては、前記背景認識部５３により撮像範囲内の背景部分を認識し、さらに前記背景サイズ認識部５４により前記認識した背景部分のサイズを認識することにより、例えば各背景部分の中で最もサイズの大きい部分のあるエリアに電子黒板を配置させるというように、撮像範囲内における電子黒板の位置を自動的に決定できるようにしているので、作業者は工事現場でいちいち撮像範囲の映像を携帯型通信端末の液晶画面などで見ながら電子黒板の位置を選択・指定する必要が無くなり、工事現場での作業効率が向上するようになる。
【００４９】
また、本実施例２においては、さらに、前記背景認識部５３により撮像範囲内の背景部分を認識し、前記背景サイズ認識部５４により前記認識した背景部分のサイズを認識することにより、例えば各背景部分の中で最もサイズの大きい部分のあるエリアのサイズと同一かそれより所定量だけ小さいサイズを工事写真中に表示すべき電子黒板のサイズとするというというように、工事写真内の電子黒板のサイズの位置を自動的に決定できるようにしているので、作業者は工事現場でいちいち撮像範囲の映像を携帯型通信端末の液晶画面などで見ながら電子黒板のサイズを選択・指定する必要が無くなり、工事現場での作業効率が向上するようになる。
【００５０】
以上、本発明の各実施例について説明したが、本発明及び本発明を構成する各構成要件は、それぞれ、前記の各実施例及び前記の各実施例を構成する各要素として述べたものに限定されるものではなく、様々な修正及び変更が可能である。例えば、以上の各実施例１，２では、いずれも携帯型通信端末として携帯電話１を示したが、本発明ではこれに限られるものではなく、例えばＰＤＡ（携帯型情報端末）やノート型パソコンでもよいことはもちろんである。また、以上の各実施例１，２では、いずれも建築工事の電子黒板付き工事写真の撮像及びこれを含む工事管理台帳自動作成システムについて説明したが、本発明は土木工事の電子黒板付き工事写真の撮像及びこれを含む工事管理台帳自動作成システムにも同様に適用することができる。また、本発明は、工事写真以外に、例えば災害地の被災状況の電子黒板付き写真の撮像、不動産業界の売り土地・売り建物の電子黒板付き写真の撮像、レストランなどの店舗の電子黒板付き写真の撮像、観光地の電子黒板付き写真の撮像、及びこれらを使用した写真付き台帳の自動作成などにも適用が可能である。
【図面の簡単な説明】
【００５１】
【図１】本発明の実施例１による携帯電話を使用した電子黒板付き工事写真の取得及びこれを使用した工事報告書自動作成システムを示す概略ブロック図。
【図２】本実施例１における携帯アプリの動作を説明するための図。
【図３】本実施例１における携帯アプリの動作を説明するための図。
【図４】本実施例１における携帯アプリの動作を説明するための図。
【図５】本実施例１における携帯アプリの動作を示す図。
【図６】本実施例１における携帯アプリの動作を示す図。
【図７Ａ】本実施例１における携帯アプリの動作を示す図。
【図７Ｂ】本実施例１における携帯アプリの動作を示す図。
【図８】本実施例１における携帯アプリの動作を示す図。
【図９】本実施例１における携帯アプリの動作を示す図。
【図１０】本実施例１における携帯アプリの動作を示す図。
【図１１】本実施例１における携帯アプリの動作を示す図。
【図１２Ａ】本実施例１の携帯アプリの画面フローを示す図。
【図１２Ｂ】本実施例１における携帯アプリの記録部１３（ｍｉｎｉＳＤカードなど）のフォルダ構成の一例を示す図。
【図１３】本実施例１における携帯アプリの動作を説明するための図。
【図１４】本実施例１における携帯アプリの動作を説明するための図。
【図１５】本実施例１における携帯アプリの動作を示す図。
【図１６】本実施例１における携帯アプリの動作を示す図。
【図１７】本実施例１における携帯アプリの動作を示す図。
【図１８】本実施例１における携帯アプリの動作を示す図。
【図１９】本実施例１における携帯アプリの動作を示す図。
【図２０】本発明の実施例２による携帯電話を使用した電子黒板付き工事写真の取得及びこれを使用した工事報告書自動作成システムを示す概略ブロック図。
【符号の説明】
【００５２】
１          携帯電話
２          Ｗｅｂサイト
３          オフィス内装置
４          ネットワーク
１１      制御部
１２      入力部
１３      記録部
１４      黒板画像生成部
１５      撮像部
１６      黒板位置選択部
１７      黒板サイズ選択部
１８      ＧＰＳ受信部
１９      送受信部
２１      Ｗｅｂサーバー
２２      工事データベース
３１      パソコン
３２      入力部
３３      通信部
３４      ハードディスク
３５      ディスプレイ
５１      黒板位置自動決定部
５２      黒板サイズ自動決定部
５３      背景認識部
５４      背景サイズ認識部
【図１】
2008225862.tif 000003
【図２】
2008225862.tif 000004
【図３】
2008225862.tif 000005
【図４】
2008225862.tif 000006
【図５】
2008225862.tif 000007
【図６】
2008225862.tif 000008
【図７Ａ】
2008225862.tif 000009
【図７Ｂ】
2008225862.tif 000010
【図８】
2008225862.tif 000011
【図９】
2008225862.tif 000012
【図１０】
2008225862.tif 000013
【図１１】
2008225862.tif 000014
【図１２Ａ】
2008225862.tif 000015
【図１２Ｂ】
2008225862.tif 000016
【図１３】
2008225862.tif 000017
【図１４】
2008225862.tif 000018
【図１５】
2008225862.tif 000019
【図１６】
2008225862.tif 000020
【図１７】
2008225862.tif 000021
【図１８】
2008225862.tif 000022
【図１９】
2008225862.tif 000023
【図２０】
2008225862.tif 000024